(57)【特許請求の範囲】
【請求項１】
チューブ３を備えた伸縮が少なく柔軟で透明な袋１であって、光ファイバー２を袋内面に配線固定された透明な袋１と、人体へ貼着する手段とを有する、接触圧血流センサ。
【請求項２】
透明な袋１の内面に、光ファイバー２をプリズム５に配線固定して構成した請求項１の接触圧血流センサ。
【請求項３】
伸縮が少なく柔軟で、不透明な袋６の場合、開口部７を設け、その開口部７を透明材９で塞ぎ、その透明材９に光ファイバー２を固定して構成された請求項１の接触圧血流センサ。
【請求項４】
前記透明な袋１に替えて伸縮が少なく柔軟で不透明な袋６を使用する場合、開口部７を設け、その開口部７を透明材９で塞ぎ、光ファイバー２をプリズム５に着け、透明材９に固定し、構成した請求項１の接触圧血流センサ。
【請求項５】
透明な保護材１０を備えた請求項１〜４の接触圧血流センサ。
【請求項６】
穴開き保護材１１を備えた請求項１〜４の接触圧血流センサ。
【請求項７】
チューブ３を備えず、圧力センサ１２を袋内部に備えた請求項１〜６の接触圧血流センサ。
【請求項８】
貼着手段として貼付フィルム１４を備えた請求項１〜７の接触圧血流センサ。
【請求項９】
表面温度センサ２０を備えた請求項１〜８の接触圧血流センサ。
【発明の詳細な説明】
【０００１】
【産業上の利用分野】
この発明は、布団や衣服などによる生体へ加わる外圧。つまり、体圧や、拘束圧の強度が、その皮膚へ与える影響を血流で観る為のものである。例えば高齢化時代に於いて、寝たきり高齢者に対する床ずれ予防対策が、ますます重要な社会的問題であり、科学的に知る必要がある。その床ずれの第一要因が皮膚への圧迫が、皮膚血流を阻害することである。寝てる時間、体重、姿勢、生体の症状と、寝具の弾力性、構造との関係が予防に係ってくる。それには、血流の阻害する圧力を知る必要があり、その値は皮下組織の違いで各部位で異なる。従って、予防として、圧力分散と云われるが、各部位で皮膚の血流阻害の圧迫値を知ってやることである。それには、皮膚上の圧迫と、その皮下の血流を計測して解明することで、ベット、車椅子、マットレスなど予防用具の開発に繋がる。この発明はそれらの計測に関するものである。
【０００２】
【従来の技術】
従来は、接触圧計測と、血流計測は各々のセンサを並べて計測していた。つまり、同一部位の計測ではなく、お互いに近辺の部位を計測していた。皮膚血流の場合は、主に毛細血管の計測となるが、均等に皮膚に組織してない血管の為、僅かずれた部位では大きく血管組織量が異なる事がある。また、厚み、硬さ、取付け方で互いのセンサが皮膚刺激など与え影響したり、また、近い部位に取り付けるにも限度があり、正確性に欠ける事があった。
【０００３】
【発明が解決しようとする課題】
したがって、特に床ずれ予防対策では、計測部位の皮下血流の計測と、その皮膚の真上の接触圧と同一部位で計測することが必要で、取付けたセンサの影響を極力少なく、各々相関データを計測する事で解析が可能となる。例えば、ベット、マットレスの弾力性の考慮や、姿勢変動による体圧値の把握、そのデータを元に、予防研究、教育指導や、用具の構造、機能の設計などを行う事である。また、それら用具の使用感の評価でも、接触圧値、皮膚血流変化は重要視される。したがって、接触圧と血流が同一部位で行う事で、相互のセンサが影響しないで、装着違和感が少ない薄く扁平状の一体型が理想である。
【０００４】
【課題を解決するための手段】
この発明は、接触圧計は柔かい面の接触圧計測用で、測定値の再現性、精度が校正で確認できる方式で、近年に測定と校正を含め特許取得した。また、血流計は、従来から医療機器として多く使われいる半導体レーザー血流計を使用する。それら新旧別々のかたちで、信頼性が高い測定方式を使い、各々計測機能を生かし、それぞれのセンサをひとつに組み込むことで達成できた。
【０００５】
【作用】
本発明は、図１に於いて、圧力計に導くチューブ３を備え、接触環境を極力変えない為に袋全体が扁平状で、圧迫で計測面が拡がらなく同一面の部位を保つ為、伸縮が少なく柔軟材からなる透明な袋１の内部に、レーザー血流計へ導く受光発光の２本の光ファイバー２を、袋内部の底面中心部に固定材４で固定する。この時、袋全体が薄くする事を考慮する。その接触圧血流センサを使用の際は、図１０に於いて、透明な袋１に加圧時に光ファイバー２を圧迫しない程度の空気などの流体を入れ、チューブを圧力計に接続し、光ファイバー２をレーザー血流計に接続する。接触圧血流センサの取付けは、光ファイバー２が固定してある面を生体側に向け、穴開き両面テープ１８で皮膚に貼付ける。ズレやすべりなどでセンサがはが外れない対策として、袋を覆うように貼付フイルム１４にて、しっかり生体１５に貼付テープ１７にて付ける。その状態にて、例えば図９、図１０に於いて生体を寝具１６に寝かせた時。接触圧は、扁平状の透明な袋１に閉じ込められた空気など流体が圧縮され受圧する。その圧縮力が接続されたチューブ３を介し接続された圧力計によって圧力を計測する。と、同時に皮膚血流は、袋の中央部の透明な材質の面に固定された光ファイバー２によって、レーザー血流計から発光されたレーザー光が、透明材をそのまま平衡透過し、生体１５の皮膚組織にて光が散乱する。その一部を光ファイバーにて受光し計測する。したがって、同一部位の接触圧と皮膚血流の同時計測が可能になる。
【０００６】
【実施例】
この発明の実施例として図に追って説明すると、図１に於いて圧力計に接続するチューブ３を接続した扁平状で伸縮が少なく柔軟で透明な袋１の内部に、レーザー血流計に接続する光ファイバー２を配線。その端を袋内面に垂直に成るように曲げ固定材４で固定して成る接触圧血流センサ。図２に於いて光ファイバー２をプリズム５の屈折を利用して、袋内面に垂直にレザー光８が照射し、受光する様にした。図３に於いて不透明な袋６の場合、開口部７を設け、その開口部７を、薄いフイルムや薄い板材から成る透明材９で塞ぎ、その透明材９に光ファイバー２を垂直に固定して構成した。この場合、センサを生体への取り付ける時に両面テープの貼付やはがす際に、袋を破かないように保護も兼ねる効果にもなる。図４に於いて透明な袋１の生体へ貼付時、両面テープの貼付やはがす際に、袋を保護の役目として、フイルムや薄い板材から成る透明な保護材１０を設け耐久性を考慮した。図５に於いて不透明な材質で保護した場合に、穴開き保護材１１とした。図６に於いて圧力計の計測方式が、受圧センサ部を計測機器外部まで導くことができるタイプは、チューブ３を備えず、その圧力センサ１２を袋内部に組込んだ構造。図７に於いてセンサ取付け時、生体１５に接し、血流計測部位の近辺に薄い表面温度センサ２０を備えた。特に、ドーナツ状に中央に穴を設け、その中央でレーザー光を通す構造は、血流変化とお供に変化する温度情報がより正確である。図８、図９、図１０に於いて本発明の接触圧血流センサを生体に取り付ける際に、まず穴開き両面テープ１８にて生体１５に貼り付ける。そして全体を覆うように貼付フィルム１４を貼付テープ１７で貼り付けるようにしたもので、生体１５の動きや、生体１５と寝具１６の沈みなどの変形時に、互いの表面積の変化によるス゛レが生じる。そのズレによる袋の破壊防止。つまり、袋内部が流体の為、横ス゛レに対する抵抗が無く、センサの破壊や破けに繋がる。それを防ぐことと、皮膚に対し垂直圧として受圧することにもなり、これは実用面で重要な役割である。
【０００７】
【発明の効果】
本発明の接触圧血流センサを生体に取り付け、チューブ３を圧力計に、光ファイバー２をレーザー血流計に接続しそれぞれ計測を、図１０に表すように、皮下では血流計から発光されたレザー光が、光ファイバー２で導かれ透明な袋１を透過し、皮膚内に散乱光１９が拡がり、その一部を受光する。その皮膚上では、柔軟で透明な袋１に密封された空気など流体が、透明な袋１の外圧を受け、内部流体が受圧、チューブ３に導かれ圧力計本体へ伝達し圧力計測する。それにより、同一部位の皮膚表面の接触圧と、その皮下の血流の計測が行える。従って、拘束圧の変化や、姿勢変動による接触圧の経時的変化とともに、皮膚への影響を血流で観ることができる。この接触圧計測方式に関しては値の校正が行える為、血流阻害の圧力の数値化などが可能となる。その上、表面温度センサ２０を備えることで、一つのセンサで同一部位より３つの情報が得られ、多く種類のセンサを取り付けることなく計測が可能となる。したがって、床ずれの予防、研究、評価、指導、用具設計製造だけではなく、生理的な影響など幅広い分野で利用が考えられる。
【図面の簡単な説明】
【図１】  本発明の構成の断面図
【図２】  本発明のプリズムを使用した断面図
【図３】  本発明の不透明な袋と透明材を使用した断面図
【図４】  本発明の透明な保護材を備えた断面図
【図５】  本発明の穴開き保護材を備えた断面図
【図６】  本発明の圧力センサを袋内に備えた断面図
【図７】  本発明の表面温度センサを備えた断面図
【図８】  本発明の貼付フィルムを備えた断面図
【図９】  本発明を使用実施状況の断面図
【図１０】  本発明を使用実施状況の拡大断面図
【図１１】  本発明の外観図
【符号の説明】
１は透明な袋
２は光ファイバー
３はチューブ
４は固定材
５はプリズム
６は不透明な袋
７は開口部
８はレザー光
９は透明材
１０は透明な保護材
１１は穴開き保護材
１２は圧力センサ
１３は配線
１４は貼付フイルム
１５は生体
１６は寝具
１７は貼付テープ
１８は穴開き両面テープ
１９は散乱光
２０は表面温度センサ
【図１】
0003731183.tif 000002
【図２】
0003731183.tif 000003
【図３】
0003731183.tif 000004
【図４】
0003731183.tif 000005
【図５】
0003731183.tif 000006
【図６】
0003731183.tif 000007
【図７】
0003731183.tif 000008
【図８】
0003731183.tif 000009
【図９】
0003731183.tif 000010
【図１０】
0003731183.tif 000011
【図１１】
0003731183.tif 000012